(57)【要約】【課題】履き物を履いての歩行で足裏部が弱体化し、変形した足部による歩行が原因で癖のある歩行となった。足裏部での体重移動を正常に誘導することで足裏部を強化し、正常な足部を創り正常な歩行実現することを目的とする。【解決手段】履き物の足裏部の当接部や履き物用中敷に隆起部を設け、隆起部を辿る歩行を繰り返すことで足裏部を強化し、正常な体重移動による自然な美しい歩行を実現する。【選択図】  図１
2006325611.tif 000002
【特許請求の範囲】
【請求項１】
履き物の足裏部の当接部や履き物用中敷の踵部より母指球部を通る線上に隆起部を形成
されていることを特徴とする歩行補助用具。
【請求項２】
上記隆起部は、履き物の足裏部の当接部や履き物用中敷が複数層に構成され、いずれか
の層や層間に設けられることを特徴とする請求項１に記載の歩行補助用具。
【請求項３】
上記隆起部は、履き物の足裏部の当接部や履き物用中敷が複数層に構成され、いずれか
の層や層間に跨って設けられることを特徴とする請求項１に記載の歩行補助用具。
【請求項４】
上記隆起部の断面が三角形、四角形などの多角形や楕円形や円形のいずれかの形状であ
ることを特徴とする請求項１から請求項３に記載の歩行補助用具。
【請求項５】
上記隆起部の断面が一様でないことを特徴とする請求項１から請求項４までに記載の歩
行補助用具。
【請求項６】
上記隆起部が管状に形成され該隆起部に孔が複数箇所設けられていることを特徴とする
請求項１から請求項５までに記載の歩行補助用具。
【請求項７】
上記隆起部の内部に、空間が一箇所や複数箇所設けられていることを特徴とする請求項
１から請求項６までに記載の歩行補助用具。
【請求項８】
上記隆起部は、複数種類の素材で形成されていることを特徴とする請求項１から請求項
７までに記載の歩行補助用具。
【請求項９】
上記隆起部は、不連続に形成されていることを特徴とする請求項１から請求項８までに
記載の歩行補助用具。
【発明の詳細な説明】
【技術分野】
【０００１】
裸足での歩行時に足裏部で行われていた自然な体重移動を、意識的に条件付け繰り返す
ことで、足裏部の筋肉系を強化しバランスを整え、足部の筋骨系の歪みを正常に戻し、本来の美しい歩行を可能にする歩行補助用具に関するものである。
【背景技術】
【０００２】
人間の足部の機能や形状並びに歩行のスタイルは、進化とともに確立された。人間の足
部の特徴は、土踏まずが形成され、踵部の骨が大きいことである。土踏まず部は、アーチ
状の構造を作り、骨格を靭帯や筋肉で補強している。足部のアーチ構造は、身体の重心を
安定させ、歩行時の衝撃を吸収し、蹴り出す時の力を生じさせるとともに体重を分散させ、
直立の歩行や直立の姿勢を可能にしている。歩行時の身体にかかる衝撃の半分を足部のア
ーチ構造が吸収し、残りの半分は地面が吸収する。
しかし、今日の生活環境において、道路や建物などほとんどの部分がアスファルトやコ
ンクリート、石などの硬い構造であり、地面が吸収していた衝撃は吸収されず、身体に返
ってきてしまう。このような現実から、履き物を履いての歩行はかかせないが、衝撃吸収
の能力を高めるとフワフワと不安定で疲れやすい履き物となり、逆に低めると衝撃が足部
に伝わり足部を痛める原因となる。
履き物は、足部の保護や足部の機能を補う目的を持つが、ファッション性の重視や、足
部と一致しない形状や構造の履き物の使用により、足部の変形や痛みなどを生じさせた。
母指部を圧迫し炎病を起こし痛みが生じる外反母指や、足部と一致しない履き物の使用や
長時間の立位姿勢が原因で、足裏部のアーチ構造が弱体化すると偏平足になる。また、常
に足指部に体重をかけた歩行などにより足指部が広がり、足裏部の横アーチ部が崩れる開
張足になるなどの問題が発生した。
履き物を履いての歩行により生じた足部のトラブルは、身体の土台である足部を弱体化
し変形させ、身体の支持機能が低下し、身体全体のバランスをも狂わせている。            
【０００３】
このような問題点を解決するために、歩行時の足部の姿勢の矯正を行いつつ、足部の履
き物内での不要な移動を防止することが特開平０９―７０３０２号公報に示されている。
この考案は、履き物の外側方向が内側方向より高くなるように傾斜した底部に形成するこ
とで、歩行時の足部の姿勢を内側へ矯正し、足裏部における体重の支持位置を外側から内
側へ移行させて足部の痛みを抑制するようにしたものである。
【０００４】
また、変形した足部や不安定な足裏部を、履き物を履いての歩行時に足部そのものを矯
正し、足裏部のバランスを整えていくという方法が特開２０００―２８７７０５号公報に
提案されている。この考案は、履き物内の、第一指部のつけ根と第五指部基底部に当たる
側面部分周辺に押圧部材又は補強部材を形成することで、歩行時に足裏部が開き足裏部に
力が入り、足裏部を使ってバランスよく歩行できるようにした。外反母指や足指部が地面
に接地しない不安定な足部によって発生する必要以上のねじれを、歩行中に矯正又は予防
できるようにしたものである。
【０００５】
さらに、外股の歩行、内股の歩行、ベタ足の歩行矯正の補助のために、踵部、母指球部、
小指球部、第一指部が当接する位置に圧迫板を貼り付ける。使用者は、歩行時にその圧迫板がで足裏部を刺激し、どういう状態で踏み込んでいるかを意識することができ、圧迫板を貼り変えることで除々に正常な歩行に近づけようとした提案が、特開平１０―１５５８５０号公報に示されている
【０００６】
【特許文献１】特開平０９―７０３０２号公報
【特許文献２】特開２０００―２８７７０５号公報
【特許文献３】特開平１０―１５５８５０号公報
【非特許文献１】基礎運動学  第６版  医歯薬出版株式会社  中村  隆一、斎藤  宏、  長崎  浩、共著
【発明の開示】
【発明が解決しようとする課題】
【０００７】
正常な足部は、正常な歩行を行うことで作られるが、それは裸足による歩行の結果である。正常な足部は、足裏部での正常な体重移動が正常に行われることにより、土踏まず部の機能や形状が完成されることであり、それは裸足による歩行の結果である。
正常な体重移動は、踵部の端より始まり踵部で全体重を受けとめ、足部のやや外側を通り母指球部で全体重を受けとめながら、母指部を中心に抜ける。正常な歩行は、足首部の関節が自然に動作する横揺れ・ローリング、縦揺れ・ピッチング、方向転換・ターニングなどの複合した複雑な運動をすることであるが、人間が進化とともに確立した自然な運動であり、踵部より当接し、母指球部を通り母指部を中心に蹴り出す運動である。
上記の従来技術は、歩行時の足部の姿勢を矯正し、足部の履き物内の不要な移動を防止するために、変形した足部に対応した形状に履き物の上面部を凹凸状に形成し、変形した足部を保護しようとした提案であるが、変形した足部の状態は各人各様であり各人に対応した形状ではない。本考察の場合、足部の履き物内での不要な移動を防ぐことで、足部を矯正しようとすることはできず、足部そのものを改善することはできない。                
【０００８】
また、歩行時に足部のねじれを矯正し予防する目的で、足部の側面から押圧し足指部が開き足指部に力が入り、開いた足指部を使用してバランスよく歩行できることが提案されているが、押圧を受けながら歩行を行うことは、足部の各部分に不自然な力が加わり、押圧を受けない場合においては、足指部はもとに戻ってしまう。本来、足部に対して不自然な圧力が加わることで足部が変形してしまったのであり、足部に圧力を加えたまま歩行することは、不自然であり無理がある。場合によっては、足部の変形を倍加する可能性があり、逆効果になりかねない。
【０００９】
また、歩行の形態を矯正する目的で圧迫板を踵部、母指球部、小指球部、第一指部に設け、各部分を常時意識しながら歩行する提案があるが、歩行は連続したなめらかな運動であり、各部分を常時意識しながらの歩行は困難であり、バラバラに分布している各圧迫板を意識しながらの歩行においては、足裏部がバラバラに圧迫板を感じ、その違和感と共に歩行を重ねるには無理がある。また、圧迫板を使用した歩行は、一般的な足底面に凹凸状を形成した履き物と同じ効果でしかない。足部自体の骨格系あるいは筋肉系そのものを、正常な状態へ導くという考え方を示唆されていない。
【００１０】
人間の正常な足部は、幼児期より成長とともに、足裏部が直接地面と摩擦する歩行を重ねることで完成される。
しかし、履き物を履いての歩行は、裸足での歩行を前提として確立される足部の機能を阻害し弱体化させ、足部を変形させてしまう。履き物を履いての歩行は、人間が新しく学習して身に付けた行動様式であり不安定である。弱体化し変形した足部に対応した履き物や中敷で対処しても、足部自体の筋骨系を強化し改善することには結びつかない。
【００１１】
本発明は、上記に鑑み考えたもので、踵部より母指球部を通る線上に隆起部を設け、その隆起部をたどる歩行を繰り返すことで、足裏部での正常な体重の移動を足裏部に思い出させ、裸足の歩行で確立された正常な歩行形態を取り戻し、足裏部の主に歩行に関る内側縦アーチ部を中心に鍛え、足部全体の筋肉系や靭帯などを強化し、正常なしっかりとした骨格系を取り戻し、バランスのとれた正常な足部を獲得することができるようにした。人間が裸足の歩行で獲得した正常な足部による正常で美しい歩行を獲得することを目的とするものである。
【課題を解決するための手段】
【００１２】
請求項１に記載のとおり、本発明による歩行補助用具は、履き物の足裏部の当接部や履き物用中敷の踵部より母指球部を通る線上に隆起部を形成されていることを特徴とする。
歩行時の足裏部における足底圧が高く主に体重を支持している部分が、踵部と母指球部であり、歩行時の足裏部における体重移動の中心となる部分が、踵部と母指球部である。足裏部で主に歩行運動を担い、土踏まず部を主に構成する部分が、内側縦アーチ部であり、踵部より母指球部を通る線上に位置している。踵部より母指球部を辿る歩行ができるように、上記隆起部を設けた。
【００１３】
請求項２に記載のとおり、本発明による歩行補助用具は、履き物の足裏部の当接部や履き物用中敷が複数層に構成され、いずれかの層や層間に設けられることを特徴とする。
上記隆起部は、履き物の足裏部の当接部や履き物用中敷の上面や下面に設けられてもよく、層間に設けられてもよく、層を構成する素材により形成されてもよく、特に特定はしない。
【００１４】
請求項３に記載のとおり、本発明による歩行補助用具は、履き物の足裏部の当接部や履き物用中敷が複数層に構成され、いずれの層や層間に跨って設けられることを特徴とする。
上記隆起部は、層間を跨いで設けらるが、それぞれの層を構成する素材により形成されてもよく、踵部より母指球部を通る線上に設けられていればよく、特に特定はしない。
【００１５】
請求項４に記載のとおり、本発明の歩行補助用具は、上記隆起部の断面が、三角形、四角形などの多角形や楕円形や円形のいずれかの形状であることを特徴とする。
履き物の足裏部の当接部や履き物用中敷の形状や機能により上記隆起部が選択され使用されるが特に特定するものではない。
上記隆起部は、一種類の断面だけで形成されてもよく、複数種類の断面を使用し形成されてもよく、特に特定や限定はしない。
【００１６】
請求項５に記載のとおり、本発明による歩行補助用具は、上記隆起部の断面が一様でないことを特徴とする。
上記隆起部を一様でなく、太い部分や細い部分などの形状で隆起部を形成し使用できるようにした。上記隆起部の太さや形状など、特に特定しない。
【００１７】
請求項６に記載のとおり、本発明による歩行補助用具は、上記隆起部が管状に形成され、該隆起部に孔が複数箇所設けられていることを特徴とする。
上記隆起部が管状に形成され送気路として使用できるようにしたものであるが、特定はしない。
上記隆起部の孔は、滞留空気の換気手段として使用できるようにしたものであるが、特定はしない。
【００１８】
請求項７に記載のとおり、本発明による歩行補助用具は、上記隆起部の内部に空間が一箇所あるいは複数箇所設けられていることを特徴とする。
上記隆起部に空間を設けることにより、足裏部に対する圧迫の軽減などができるようにした。空間の数や形状などにおいて、特に限定や特定するものではない。
【００１９】
請求項８に記載のとおり、本発明による歩行補助用具は、上記隆起部が、複数種類で形成されていることを特徴とする。
上記隆起部を、同一の素材で形成されてもよく、複数種類の素材で形成され使用されてもよく、素材どおしの結合方法や形状など特に特定するものではない。
【００２０】
請求項９に記載のとおり、本発明による歩行補助用具は、上記隆起部が不連続に形成されていることを特徴とする。
【００２１】
本発明の隆起部は、あらゆる履き物の足裏部の当接部や履き物用中敷に使用できるようにしたものである。
上記隆起部は、歩行の改善や直立姿勢時の身体保持を担う形態に設けられ使用されるが、歩行時や直立時の足裏部に対して不快感を与えてはならないのは当然である。
【発明の効果】
【００２２】
上記のとおり、本発明による歩行補助用具によれば、次のような効果を得ることができる。第一に、本発明による歩行補助用具は、裸足での歩行時の無意識に行っている正常な体重移動を、履き物を履いての歩行時に意識して行えるように、踵部より母指球部を通る線上に隆起部を設けた。足裏部で行われる体重移動は、主に踵部から母子球部を通り母指部に抜けるように行われるが、足首部の関節の運動であるローリング、ピッチング、ターニングなどの複合的で自然な動作が、歩行時の足裏部の当接を決定し、正常な体重移動が行われる。上記隆起部を辿る歩行は、正常な歩行時における正常な体重移動を足裏部に条件付け、上記隆起部をたどる歩行を意識して繰り返すことができるようにしたので、正常な体重移動をもとにした正常な歩行ができるようになった。
【００２３】
第二に、主に足部の筋肉系の多くはアーチ部の形成に働き、アーチ部は出生時には広く未完成であるが、成長とともに活発な筋肉活動と体重増加に対する抗重力作用として、高さを増して完成される。アーチ部は、裸足による歩行を重ねることを前提として形成され、完成される。しかし、現実には、幼児期より履き物を履いての歩行によりアーチ部の発育が阻害され、アーチ部の形成は十分になされていない。アーチ部は、３つの部分からなるがその中でも内側の縦アーチ部は土踏まずを形成し、主に歩行を司る部分で、この部分を歩行することで強化することができるように、上記に隆起部を設けた。
本発明の歩行補助用具は、内側縦アーチ部がある踵部から母指球部を通る位置に隆起部を設けたので、歩行を繰り返すことで足裏部の内側縦アーチ部を強化できるようになった。上記隆起部を意識する歩行を繰り返すことができるようになり、歩行を重ねることで足裏部の筋肉系をバランスよく強化し、弱体化した不整な状態でバラバラになっていた骨格系の結合を強固にし、しっかりとした土踏まず部を作り出すことができるようになった。
【００２４】
第三に、歩行の初期段階には足裏部全体で当接するが、しだいに踵部で当接するようになり、成熟段階において踵部当接が確実になる。歩行における踵部からの当接は、人間が進化の過程で獲得した裸足による歩行の自然な歩行の形態である。
しかし、現実には履き物を履いての歩行は避けられず、履き物の底面はある程度の厚い構造で、履き物と足部が一体化した動作が困難な歩行となる。履き物を引きずる歩行や足裏部全体で当接する歩行などの各人各様の癖のある歩行になり、正常な歩行の基本である踵部からの当接が行われず、正常な歩行が行えなくなる。
本発明の歩行補助用具は、踵部からの当接が確実にできるように踵部より上記隆起部を設けたので上記隆起部をたどる歩行を意識しながら繰り返すことで、足首部の関節の自然な運動をもとに足裏部での正常な体重移動が可能となり、確実に踵部からの当接する歩行が行えるようになった。
【００２５】
第四に、本発明の上記隆起部は、踵部より母指球部を通る線上に設けられ、正常な歩行における母指球部と母指部による蹴り出しが正常に行われているように上記隆起部を設けた。上記隆起部をたどる歩行は、踵部からの当接が確実に行えるようになり、足首部の関節の自然な運動をもとに足裏部での正常な体重移動が可能となり、正常な歩行である母指球部と母指部による蹴り出しが確実に行えるようになった。
上記隆起部を辿る歩行を繰り返すことで、母指球部と母指部により蹴り出しが確実に行えるようにしたので、蹴り出し時に膝部が伸び、歩行時の歩幅が拡大し、膝部が伸びた当接ができるようになった。
【００２６】
第五に、不自然な歩行形態へと変化させた履き物を履いての歩行を、正常な歩行へ導くために上記隆起部を設けた。上記隆起部を辿る歩行を繰り返すことで、本来の正常な歩行形態へ移行し、正常な歩行である裸足で確立された歩行と同一の歩行ができるようになり、上記隆起部を意識しない自然な状態の歩行となった。
本発明の上記隆起部を辿る歩行は、人間の進化と共に完成された自然で正常な裸足で行っていた歩行を実現できるようにしたものであり、自然な人体の運動である正常な歩行へと導くことができるようになった。
【００２７】
第六に、足部と一致しない履き物などの使用による歩行で、各人の足部を変形させ、身体の土台である足部が不安定になり、身体全体の姿勢の変調を来している。猫背の歩行は身体が前のめりになり、膝部に加わる圧力が膝部の故障の原因となり、O脚の歩行は膝部のねじれが膝痛の原因となったり、小指部に負担を強してウオノメ、タコなどの原因となる。履き物を引きずる歩行は、踵部での当接ができず、前かがみの歩行となり、身体が曲がり腰や肩の故障につながる。
本発明の歩行補助用具は、歩行を重ねることで足部の筋骨系を鍛え、正常な足部を作ることができるようにしたので、長時間の歩行においても疲労が少なく疲れない正常な歩行ができるようになった。正常な歩行ができるようにしたので、身体の姿勢が正常になり、身体の各部分の歪みなどを正し、健康な身体を獲得することができるようになった。
また、正常な足部を作ることができるようにしたので、立位姿勢時においても、足裏部での体重支持のバランスが正常になり長時間の立体姿勢時においても疲れない状態を作り出すことができるようになった。
【発明を実施するための最良の形態】
【００２８】
図１は、本発明に係る歩行補助用具１の最良の形態を示す実施例の平面図である。同図に示す実施例は靴の中敷に適用したものを示し、１は、該中敷に本発明を適用した歩行補助用具で、該歩行補助用具１は、該中敷２の上面に同図中一点韻線で示す足裏部４の踵部より母指球部を通る線上に隆起部３を設けたものである。
隆起部３に使用される素材は、使用者の不快感や痛みを伴わないような素材を用いなければならない。素材としては、粘弾性ポリウレタン・ＥＶＡ・エラストマーラ弾性体・ＡＢＣ樹脂・ラテックスフォーム・シリニン樹脂・軟質合成樹脂などの合成樹脂、綿・紙・コルク・木・金属・ゴム・活性炭・繊維などの天然素材などが使用されるが特に限定しない。上記素材を単独あるいは複数種類を使用してもよく、混合して使用しても何らかまわない。上記素材に、紛粒状にした木炭や磁気性物質や速赤外線放射物質など複数種類の素材を縛り込まれたり、内包して形成された隆起部３により足部の血行促進、疲労の軽減、水虫の予防などに利用してもよく、隆起部３の素材として特にこれに特定するものではない。
本発明の技術的思想である隆起部３を形成するものであれば、特に特定するものではない。
【００２９】
実際の歩行においての足首部の動作は、踵部当接時に軽く背屈し、次に底屈して足裏部当接となり、その後すぐに底屈から背屈へと変化する動作を行う。足部の基準線は、踵部の中心から第二指部に抜ける線であり、この基準線に対して、背屈部には足裏部はやや外側に向き、底屈時には内側を向く。足部当接時の足角は足部基準線よりやや外側に向いており、歩幅もやや幅がある。以上の足首部関節などの動作をもとに正常な歩行時の足裏部の当接の状態は、ローリング、ピッチング、ターニングなどの複合的な運動からなり、この一連の動作は、人間の進化とともに確立された動作である。正常な歩行時における足裏部の体重移動は、踵部より当接しながらはじまるが、当接時の足部はやや外側を向いており、足部基準線より外側の踵部の端から当接する。図１に示したように本発明の隆起部３は、踵部の足部基準線より外側から設けられる。
【００３０】
次に、足裏部の体重移動は踵部より小指球部へ移動しながら母指球部へいたる。足底圧が高い踵部と母指球部の上記２点間が歩行の体重移動を主に担う部分であり、正常な歩行時の足裏部が主に体重を支持するべき部分である。図１に示した本発明の隆起部３は踵部より母指球部を通る線上に設けられている。
また、正常な歩行時の動作である蹴り出しは、母指球部より母指部を中心に蹴り出すが、本発明の隆起部３が設けられている部分である。
【００３１】
また、上記隆起部３を辿る歩行は、足部における３つのアーチ部のなかでも特に内側の縦アーチ部を中心とした歩行となり、内側の縦アーチ部を強化することができる。このアーチ構造は、足骨部系が全体に上方に隆起し湾曲していて、土踏まずとして認められ、力学的に合理的な体重の支持に役立っている。アーチ構造は、骨・関節・靭帯及び筋が組み合わさって構成され、３つのアーチ部がある。外側縦アーチ部は主にバランスに関係し、横アーチ部は指部と関っている。内側縦アーチ部は、足裏部における中心的なアーチ部であり、主に土踏まずを形成し最も高く長いアーチ部であり、特に歩行運動と密接な関係がある。アーチ部は、出生時には低く未完成であり、成長とともに活発な筋活動と体重増加に対する抗動作用として、高さを増して完成する。アーチ部の形成によって、足裏部にかかる体重は分散されて地面に伝達される。
以上のように、踵部より母指球部を通る線上に上記隆起部３を形成したもので、上記隆起部３を辿る歩行を繰り返すことで、内側縦アーチ部が強化され土踏まず部であるアーチ構造をしっかりと高く改善することができるようになり、裸足による歩行時の体重移動ができるようになった。
【００３２】
本発明の隆起部３は足部の踵部の外側の端側部より母指球部を通り母指部の端側部まで連続に設けたものである。しかし、人間の足部の形状は各人それぞれ異なっていて、特に母指部の足裏部における位置は、使用者によって異なっており特定することは難しく、踵部より母指球部を通る線上として表現する。
上記のように、歩行する場合の足裏部の運動は、複合的な運動であり立体的な運動である。踵部の外側の端側部から当接し母指球部を通る線上において直線的な隆起部３であるが、足裏部における運動はあくまでしなる様な複合的な運動であり、平面上の直線的な運動ではない。隆起部３は、踵部より母指球部を通る線上に設けられるが、足裏部が対向する部分の形状や素材などに対応した状態に設けられることが望ましいが、本発明の技術的思想である隆起部３を形成するものであれば特にこれを特定はしない。
本発明の隆起部３を辿る歩行を重ねることで上記の運動を正確に足裏部で実現できた。このように本発明による歩行補助用具１を使用することにより、足裏部が隆起部３を辿る歩行を繰り返すことで正常な歩行へと誘導し、裸足で歩行していた時代の理想的な足部の筋肉系や骨格系を取り戻すことができるようにした。
【００３３】
図２は、図１のX−X線における断面側面図である。同面に示すとおり隆起部3は、歩行補助用具1の上面に設置した実施例を示している。
隆起部３の断面の形状は円形のものを示しているが、形状を特定するものではなく、三角形、四角形などの多角形であっても良く、本発明の技術的思想である隆起部３を形成するものであればいずれの形状であっても良い。
【００３４】
図３は、本発明に係る歩行補助用具１の最良の形態を示す実施例の平面図で、靴の足裏部の当接部に適応したものを示し、該靴５に本発明を適用した歩行補助用具１で、該歩行補助用具１は、該靴５の上面に同図中一点韻線で示す足裏部４の踵部より母指球部を通る線上に隆起部３を設けたものである。
隆起部３に使用される素材は、使用者の不快感や痛みを伴わないような素材を用いなければならない。隆起部３は、踵部より母指球部を通る線上に設けられるが、足裏部が対向する部分の形状や素材など対応した状態に設けられることが望ましく、本発明の技術的思想である隆起部３を形成し設けられていれば特にこれを限定しない。
本発明の隆起部３を辿る歩行を重ねることで上記の運動を正確に足裏部で実現できた。このように本発明による歩行補助用具１を使用することにより、足裏部が隆起部３を辿る歩行を繰り返すことで正常な歩行へと誘導し、裸足で歩行していた時代の理想的な足部の筋肉系や骨格系を取り戻すことができるようにした。
【００３５】
図４は、本発明に係る歩行補助用具１が複数層に構成され、層間に隆起部３を設けた実施例の斜視図である。同図に示す実施例は履き物の中敷６に適用したものを示した。隆起部３は該中敷６の上面より一層目と二層目との層間に設けた例を示し、一つの層間に限定された使用例を示しているが、隆起部３はいずれかの層間、層に設けられてもよく、特定はしない。
履き物用中敷が複数層に形成され隆起部３を設ける場合には、上面に設けられてもよく、層間に設けられてもよく、層間を跨いで設けられてもよく、特に特定するものではない。履き物用中敷が複数層に形成され隆起部３を設ける場合に、上下両面に設けられてもよく、層間に設けられてもよく、層間を跨いで設けられてもよく、特に特定するものではない。複数層に構成された履き物や靴などの足裏部の当接部は、厚みが各層によりまちまちである場合など、層の内部に隆起部３を設けられてもよく、層間にだけ設ける必要はなく、それぞれの層の厚さなども特定するものではない。本発明の技術的思想である隆起部３を形成し設けられていれば特にこれを限定しない。
履き物が一層に形成されたゲタやサンダル、草履、セッタ、スリッパ、足袋、ソックス、ストッキングなどに隆起部３を設ける場合には履き物の足裏部の当接部の上面に設けられてもよく、下面に設けられてもよく、内部に設けられてもよく、予め製造時に同一の素材で形成されてもよく、異なる素材で形成されてもよく、特に特定するものではない。履き物用中敷が一層に形成され隆起部３を設ける場合に、中敷と同一の素材で形成されてもよく、上面あるいは下面に直接設けられてもよく、内部へ設けられてもよく、特に特定はしない。本発明の技術的思想である隆起部３を形成し設けられていれば特にこれを限定しない。
【００３６】
図５は、図４のY-Y線における断面側面図である。同図のとおり隆起部３は歩行補助用具１の多層に構成された該中敷６の足裏部の当接部の上面より一層目と二層目の層間に隆起部３を設けた実施例を示しているが、どの層に設けられてもよく、特に特定はしない。
隆起部３の断面の形状が円形のものを示しているが、形状を特定するものではなく、三角形、四角形などの多角形であっても良い。本発明の技術的思想である隆起部３を形成するものであればいずれの形状であっても良い。
【００３７】
図６は、本発明に係る歩行補助用具１が複数層に構成され、層間に跨って隆起部３を設けた実施例の平面図である。同図に示す実施例はスニーカー７に適用したものを示した。隆起部３は、該スニーカー７の足裏部の当接部の踵部上面の一層と二層目の層間から設けられ、土踏まず部上面の二層目と三層目の層間へと続いて設けられ、さらに母指球部上面の一層目と二層目の層間へと続いて設けられている。
多層に構成された履き物やスニーカーなどの足裏部の当接部の厚みが各部分により異なっていたり、一つ一つの層がそれぞれ厚みが異なっていたり複雑な構造になっていたりするが、一つの層が厚い場合においては層の内部に隆起部３を設けられてもよく、それぞれの層自体の素材を用いて隆起部３を形成してもよく、層間にだけ設ける必要はなく特に特定はしない。本発明の技術的思想である隆起部３を形成するものであれば、いずれの層や層間に設けられてもよい。
【００３８】
図７は、図６のZ−Z線における断面側面図である。同図のとおり隆起部３は、歩行補助用具１の多層に構成された該スニーカー７の足裏部の当接部の踵部上面の一層目と二層目の層間から設けられ、土踏まず部上面の二層目と三層目の層間へと続いて設けられ、さらに母指球部上面の一層目と二層目の層間へと続いて設けられている。各層間を跨いだ隆起部３を設けた実施例を示しているが、隆起部の形状など、特に特定するものではない。
多層に構成された履き物やスニーカーなどの足裏部の当接部の厚みが各部分により異なっていたり、一つ一つの層がそれぞれ厚みが異なっていたり複雑な構造になっていたりするが、一つの層が厚い場合においては層の内部に隆起部３を設けられてもよく、層間にだけ設ける必要はない。
本発明の技術的思想である隆起部３を形成するものであれば、いずれの層や層間に設けられてもよい。
【００３９】
図８は、隆起部３の断面図である。図８Aは隆起部３の断面が三角形のもの、図８Bは断面が四角形のもの、図８Cは断面が円形のものを示したが、形状を特定するものではなく、多角形あるいは楕円形であってもよく、本発明の技術的思想である隆起部３を形成するものであればいずれの形状でもよい。
本実施例によれば、隆起部３の断面が三角形あるいは四角形の形状のものが固着されやすく、断面が円形の形状のものは、多層に構成された歩行補助用具１の層間に設けることにより安定した固着ができ、断面が三角形の形状のものは、多層に構成された歩行補助用具１の層間に設けることにより尖った先端が使用者の足裏部にやさしい感触を与えることなどの効果が与えられる。履き物内部の上面や履き物用中敷の上面や下面に直接隆起部３を設ける場合には、固着が容易な多角形の断面の形状の使用が好ましい。履き物や履き物用中敷が多層に構成され、層間に設ける場合には隆起部３の断面が円形や楕円形の形状の使用が安定した状態で使用できる。隆起部３の断面の形状は特定されるものではない。
本発明の技術的思想である隆起部３を形成し設けられておれば特にこれを限定しない。
【実施例１】
【００４０】
図９は、隆起部３の第一の実施例を示す側面断面図である。隆起部３は歩行補助用具１の踵部より母指球部を通る線上に設けられるが、踵部より母指球部までが同一の太さの形状のもので設けられてもよく、同一の太さでない形状で設けられてもよい。本発明によれば、歩行補助用具１の構造において足裏部が対向する部分が傾斜していたり、滑りやすい状態に対して、足裏部の滑りを防止する効果を得られる。履き物用中敷の下面に隆起部３を用いることで履き物内において中敷自体の滑りを防止する働きをし、上下両側に設けることにより左右どちらにも使用することができる。
本発明の技術的思想である隆起部３を形成し設けられていれば特にこれを限定しない。
【実施例２】
【００４１】
図１０は、隆起部３の第二の実施例を示す斜視図である。隆起部３の形状の一例であり、隆起部３の形状が管状に形成されていることを示している。管状に形成された隆起部３には、孔８を複数箇所開けられているが、開けられてもよく開けられなくてもよく、特に特定はしない。管状の隆起部３の厚みは、特に特定はしないし、各厚みにおいて一様の厚みでもよく一様の厚みでなくてもよく、特に特定はしない。さらに、管状に形成された隆起部３は、管形の外側や内側の形状が円形のものを示しているが、形状を特定するものではなく、三角形、四角形などの多角形や楕円形であってもよい。本発明の技術的思想である隆起部３を形成するものであればいずの形状であってもよく、特に特定するものではない。
本実施例によれば、管状の形状によりクッション効果が生じることにより使用者の足裏部に程よい感触を与えられる。
また、管状に形成されていた隆起部３に孔８が複数箇所開けることにより、履き物内の滞留空気の送気手段として、管状に形成された隆起部３を送気路として使用できる。履き物内部の上面に設けられる管状に形成された隆起部３は、管状の隆起部の孔８を通して滞留空気が流れ通気性が向上する。履き物の足裏部の当接部が多層に構成されている場合に隆起部３が、層間に形成され通気性のある素材間に設けられることにより孔８を通して滞留空気を換気し通気性が向上する。単層に構成された履き物用中敷に管状の隆起部を設けるには、一体形成の方法での構造も可能で、中敷の上面から下面へ孔８を通して空気が通り換気性も向上する。多層の構成された履き物用中敷に隆起部３を通気性の素材の層間に設け孔８を通して通気性を高めることができる。孔８は、円形のものを示しているが形状や大きさなど、特に特定はしない。
本発明の技術的思想である隆起部３を形成し設けられていれば特にこれを限定しない。
【実施例３】
【００４２】
図１１は、隆起部３の第三の実施例を示す斜視図である。隆起部３の内部に空間９を複数箇所設けられているものを示している。隆起部３の内部に設けられた空間９は、一箇所あるいは複数箇所設けられてもよく、数は特定するものではなく、本発明の技術的思想である隆起部３を形成するものであれば、空間９がいくつあってもよい。また、空間の形状においても円形のものを示しているが形状を特定するものではなく、楕円形や三角形、四角形などの多角形であってもよく、本発明の技術的思想である隆起部３を形成するものであればいずれの形状であってもよい。
また、空間９は空間９同士が規則的あるいは不規則につながってもよく、つながらなくてもよく、本発明の技術的思想の隆起部３に形状であればいずれの形状であってもよい。
また、空間９は、内部に空気が用いられてもよく、気体、液体あるいはゲル状物質を用いられてもよく、本発明の技術的思想の隆起部３を形成し設けられていれば特に特定するものではない。
本実施例によれば、隆起部３に空間９を設けることは、特に足底圧が高い踵部、母指球部の当接時の圧迫を軽減することができる。一箇所あるいは複数箇所の空間９内にる気体、液体あるいはゲル状物質、などを用いることによりクッション効果などを生じ足裏部に対する圧迫感を軽減することができる。
【実施例４】
【００４３】
図１２は、隆起部３の第四の実施例を示す斜視部である。隆起部３が複数種類の素材を用い連結され形成されている実施例であり、３１は反発力が強い素材を用いて蹴り出す力を助け、３２は柔軟な素材で優しく当接し、３３は反発力が弱い素材を用いて衝撃に対応するなど三種類の素材で形成されていることを示している。隆起部３は、上下に素材を重ねて形成されてもよく、中心から外側へ素材を重ねて形成されてもよく、特に素材の組み合わせの数や形状や結合方法などを特定するのもではない。
また、硬い素材や柔らかい素材などの性質の異なる素材同士の結合の仕方なども特定はしない。本発明の技術的思想である隆起部３を形成するものであれば、いずれの形状であっても良い。本実施例によれば、異なる素材を組み合わせて形成することにより柔軟であり、耐久性に優れた隆起部３を作ることができる。
【図面の簡単な説明】
【００４４】
【図１】本発明による歩行補助用具の実施例を示す平面図である。
【図２】図１の中X―X線における断面側面図である。
【図３】本発明による歩行補助用具を靴に適用した実施例を示す平面図である。
【図４】本発明による歩行補助用具を多層に構成された中敷に適用した実施例を示す斜視図である。
【図５】図４の中Y―Y線における断面側面図である。
【図６】本発明による歩行補助用具を多層に構成された靴に適用した実施例を示す平面図である。
【図７】図６の中Z−Z線における断面側面図である。
【図８】本発明による隆起部の断面の実施例を示す断面図で、図８Aは三角形のものを示市、図８Bは四角形のものを示し、図８Cは円形のものを示す。
【図９】本発明の隆起部の実施例を示す側面断面図である
【図１０】本発明の隆起部の実施例を示す斜視図である。
【図１１】本発明の隆起部の実施例を示す斜視図である。
【図１２】本発明の隆起部の実施例を示す斜視図である。
【符号の説明】
【００４５】
１  歩行補助用具
２  中敷
３  隆起部
４  足  
５  靴
６  中敷
７  スニーカー
８  孔
９  空間
３１  隆起部の素材
３２  隆起部の素材
３３  隆起部の素材
４１  前足部
４２  土踏まず部
４３  踵部
【図１】
2006325611.tif 000003
【図２】
2006325611.tif 000004
【図３】
2006325611.tif 000005
【図４】
2006325611.tif 000006
【図５】
2006325611.tif 000007
【図６】
2006325611.tif 000008
【図７】
2006325611.tif 000009
【図８】
2006325611.tif 000010
【図９】
2006325611.tif 000011
【図１０】
2006325611.tif 000012
【図１１】
2006325611.tif 000013
【図１２】
2006325611.tif 000014